(57)【要約】【課題】燃料ガスを利用したガス運転モードと液体燃料を利用した液体運転モードとを切り替えて使用可能なガスエンジン装置の信頼性を高める。【解決手段】ガスエンジンの気筒内に燃料ガスと空気との予混合気を導入し、気筒内に液体燃料を導入して着火火炎を形成して予混合気を燃焼させると共に、燃料ガスを供給せずに液体燃料のみの燃焼も可能であるガスエンジン用燃料噴射装置において、機械的又は電気的に制御され、液体燃料を主燃料として供給する主弁３６ａを含む燃料供給手段と、電気的に制御され、液体燃料を副燃料として供給する副弁３６ｂを含む副燃料供給手段と、を備え、副弁３６ｂから主弁３６ａを経て気筒内に副燃料を供給し着火火炎を形成する。【選択図】図１
2014029131.tif 000002
【特許請求の範囲】
【請求項１】
ガスエンジンの気筒内に燃料ガスと空気との予混合気を導入し、前記気筒内に液体燃料を導入して着火火炎を形成して前記予混合気を燃焼させると共に、前記燃料ガスを供給せずに前記液体燃料のみの燃焼も可能であるガスエンジン用燃料噴射装置であって、
機械的又は電気的に制御され、前記液体燃料を主燃料として供給する主燃料供給手段と、
電気的に制御され、前記液体燃料を副燃料として供給する副燃料供給手段とを備え、
前記副燃料供給手段から前記主燃料供給手段を経て前記気筒内に前記副燃料を供給し前記着火火炎を形成することを特徴とするガスエンジン用燃料噴射装置。
【請求項２】
請求項１に記載のガスエンジン用燃料噴射装置であって、
前記主燃料供給手段は、前記主燃料を前記気筒内に噴射する主燃料噴射弁を備え、
前記主燃料噴射弁から前記副燃料を噴射することを特徴とするガスエンジン用燃料噴射装置。
【請求項３】
請求項１又は２に記載のガスエンジン用燃料噴射装置であって、
前記予混合気より高い圧力で前記副燃料を前記気筒内に供給することを特徴とするガスエンジン用燃料噴射装置。
【請求項４】
請求項１〜３のいずれか１項に記載のガスエンジン用燃料噴射装置であって、
前記予混合気の燃焼圧力の変動幅に応じて前記副燃料の噴射量又は噴射のタイミングを変更することを特徴とするガスエンジン用燃料噴射装置。
【請求項５】
請求項４に記載のガスエンジン用燃料噴射装置であって、
前記燃焼圧力の変動幅が大きいほど前記副燃料の噴射量を増加又は噴射のタイミングを遅らせることを特徴とするガスエンジン用燃料噴射装置。
【請求項６】
請求項５に記載のガスエンジン用燃料噴射装置であって、
前記副燃料の噴射量は、カロリーベースで前記燃料ガスの量の０．５％以上５．０％以下であることを特徴とするガスエンジン用燃料噴射装置。
【請求項７】
請求項１〜６のいずれか１項に記載のガスエンジン用燃料噴射装置であって、
前記予混合気の燃焼中においてさらに前記副燃料を噴射することを特徴とするガスエンジン用燃料噴射装置。
【請求項８】
請求項１〜７のいずれか１項に記載のガスエンジン用燃料噴射装置であって、
前記燃料ガスは、天然ガス又はプロパン若しくはブタンを主成分とするガスの少なくとも１つを含むことを特徴とするガスエンジン用燃料噴射装置。
【請求項９】
請求項１〜８のいずれか１項に記載のガスエンジン用燃料噴射装置であって、
前記予混合気の燃焼圧力の変動幅が第１の閾値を超えた場合に、前記ガスエンジンに掛かる負荷を下げる制御信号を出力することを特徴とするガスエンジン用燃料噴射装置。
【請求項１０】
請求項９に記載のガスエンジン用燃料噴射装置であって、
前記予混合気の燃焼圧力の変動幅が第２の閾値を超えた場合に、前記主燃料供給手段からの主燃料の供給と前記副燃料供給手段からの副燃料の供給に切り替えることを特徴とするガスエンジン用燃料噴射装置。
【請求項１１】
請求項１０に記載のガスエンジン用燃料噴射装置であって、
前記主燃料及び前記副燃料は同一の燃料であることを特徴とするガスエンジン用燃料噴射装置。
【請求項１２】
請求項１〜１１のいずれか１項に記載のガスエンジン用燃料噴射装置を搭載したガスエンジン装置。
【請求項１３】
請求項１２に記載のガスエンジン装置であって、
前記ガスエンジンは、希薄燃焼を行うリーンバーンガスエンジンであることを特徴とするガスエンジン装置。
【発明の詳細な説明】
【技術分野】
【０００１】
本発明は、ガスエンジン用燃料噴射装置及びそれを搭載したガスエンジン装置に関する。
【背景技術】
【０００２】
燃料ガスとパイロット燃料とを用いたガス運転モードと液体燃料のみを用いた液体運転モードとを切り替えて使用できるデュアルフューエルガスエンジンが知られている。従来のデュアルフューエルガスエンジンでは、図１９に示すように、ガス運転モードにおいて燃焼室１０内に対して燃料ガスを供給及び排気するための吸気弁１２ａ及び排気弁１２ｂが設けられている。また、液体運転モードにおいて燃焼室１０内に液体燃料を供給する主弁１４が設けられている。さらに、ガス運転モード及び／又は液体運転モードにおいて着火火炎を形成するための副燃料を噴射するための副弁１６も設けられている。
【０００３】
ガス運転モードでは、燃料ガスはガス供給手段（図示しない）において空気との予混合気とされ、吸気弁１２ａの開弁時に燃焼室１０内に導入される。そして、ピストン１８の圧縮行程における上死点前の適宜クランク角度において燃料タンク２０から低圧ポンプ２２、高圧ポンプ２４及びコモンレール２６を介して副弁１６に供給された液体燃料が副弁１６から燃焼室１０内に噴射される。この噴射された副燃料により着火火炎が生じ、燃焼室１０内の予混合気が着火・燃焼し、エンジンの出力が得られる。
【０００４】
液体運転モードでは、燃料タンク２０から低圧ポンプ２２及びカム駆動の高圧ポンプ２８を介して主弁１４内に液体燃料が供給される。ピストン１８のクランク角度に応じてカム駆動の高圧ポンプ２８の圧縮圧力が高められ、所定のクランク角度において主弁１４が開弁して燃焼室１０内に液体燃料が噴射される。
【０００５】
ここで、液体燃料を副室内に噴射する起動着火燃料噴射装置と、高速回転域において液体燃料を副室又は主燃焼室内に噴射する主着火燃料噴射装置と、を備えたパイロット着火ガスエンジンが開示されている（特許文献１）。また、主燃料及び主燃料より着火性に優れた副燃料の噴射孔を有し、主燃料の供給通路及び副燃料の供給通路が形成されたボディを有する噴射弁が開示されている（特許文献２）。また、燃料を噴射するニードル弁の噴射圧力を制御するためにソレノイド（電磁石）を用いたパイロット弁駆動装置を備えた燃料噴射装置が開示されている（特許文献３）。
【０００６】
また、ガスエンジンにおいてパイロット燃料を噴射する際に複数のシリンダ内の燃焼圧力とその平均値との偏差に応じて噴射弁の噴射開始時期を調整する技術が開示されている（特許文献４）。
【先行技術文献】
【特許文献】
【０００７】
【特許文献１】特開２００４−１９７６２５号公報
【特許文献２】特開平０１−１１６２７９号公報
【特許文献３】特開２００１−２３４８３０号公報
【特許文献４】特開２００８−２４８７５０号公報
【発明の概要】
【発明が解決しようとする課題】
【０００８】
従来のデュアルフューエルガスエンジンでは、ガス運転モードでは、カム駆動の高圧ポンプ２８のパンクチャー弁２８ａが開いて液体燃料の高圧圧縮を防ぎ、主弁１４からの主燃料の噴射は行われない。このとき、主弁１４は使用されることなく、燃料ガスの燃焼に伴う高温に曝される。その結果、ガス運転モードが長くなると、主弁１４が固着したり、噴射孔が閉塞されたりするおそれがある。
【０００９】
本発明は、上記の課題を鑑み、上記課題の少なくとも１つを解決することができるガスエンジン用燃料噴射装置及びそれを搭載したガスエンジン装置を提供することを目的とする。
【課題を解決するための手段】
【００１０】
請求項１に対応したガスエンジン用燃料噴射装置は、ガスエンジンの気筒内に燃料ガスと空気との予混合気を導入し、前記気筒内に液体燃料を導入して着火火炎を形成して前記予混合気を燃焼させると共に、前記燃料ガスを供給せずに前記液体燃料のみの燃焼も可能であるガスエンジン用燃料噴射装置であって、機械的又は電気的に制御され、前記液体燃料を主燃料として供給する主燃料供給手段と、電気的に制御され、前記液体燃料を副燃料として供給する副燃料供給手段とを備え、前記副燃料供給手段から前記主燃料供給手段を経て前記気筒内に前記副燃料を供給し前記着火火炎を形成する。
【００１１】
これにより、液体燃料を前記主燃料として用いないガス運転モードにおいて、前記主燃料を噴射する主弁の固着や閉塞を抑制することができる。
【００１２】
ここで、前記主燃料供給手段は、前記主燃料を前記気筒内に噴射する主燃料噴射弁を備え、前記主燃料噴射弁から前記副燃料を噴射することが好適である。例えば、前記主燃料供給手段は、前記主燃料及び前記副燃料に共通の燃料室と、燃料室の圧力増加に応じて開弁するスピンドルと、を備え、前記燃料室へ副弁から副燃料を供給することによって前記気筒内に液体燃料を噴射させる。また、例えば、前記主燃料供給手段は、前記主燃料及び前記副燃料に共通の燃料室と、スピンドルと、前記スピンドルに圧力を加えるために燃料を蓄える圧力制御室とを備え、前記圧力制御室の圧力を低下させることによって前記気筒内に液体燃料を噴射させる。
【００１３】
また、前記予混合気より高い圧力で前記副燃料を前記気筒内に供給することが好適である。このような圧力で前記副燃料を供給することにより、着火火炎の形成を安定的に行うことができる。
【００１４】
また、前記予混合気の燃焼圧力の変動幅に応じて前記副燃料の噴射量又は噴射のタイミングを変更することが好適である。前記予混合気の燃焼圧力を複数回（例えば、数十回〜数百回）に亘って測定し、その測定値のピーク値の変動幅を低減するように前記副燃料の噴射量及び噴射のタイミングの少なくとも１つを制御する。制御方法は、例えば、前記副燃料の噴射量及び噴射のタイミングを変更し、燃焼圧力の変動幅の変化が小さくなる条件に向けてフィードバック制御すればよい。前記燃焼圧力の変動幅が大きいほど前記副燃料の噴射量を増加又は噴射のタイミングを遅らせることが好適である。
【００１５】
また、前記副燃料の噴射量は、カロリーベースで前記燃料ガスの量の０．５％以上５．０％以下であることが好適である。
【００１６】
また、前記予混合気の燃焼中においてさらに前記副燃料を噴射することが好適である。例えば、前記予混合気の異常燃焼がみられる条件下において前記副燃料を噴射することが好適である。
【００１７】
また、前記燃料ガスは、天然ガス又はプロパン若しくはブタンを主成分とするガスの少なくとも１つを含むことが好適である。これらのガスを利用するデュアルフューエルガスエンジンにおいて前記副燃料の噴射の効果が顕著となる。
【００１８】
また、前記予混合気の燃焼圧力の変動幅が第１の閾値を超えた場合に、前記ガスエンジンに掛かる負荷を下げる制御信号を出力することが好適である。また、前記予混合気の燃焼圧力の変動幅が第２の閾値を超えた場合に、前記主燃料供給手段からの主燃料の供給と前記副燃料供給手段からの副燃料の供給に切り替えることが好適である。ここで、前記第１の閾値と前記第２の閾値は同じ値としてもよいし、異なる値としてもよい。
【００１９】
また、前記主燃料及び前記副燃料は同一の燃料であることが好適である。一般的には、前記副燃料は、前記主燃料よりも着火性の高い燃料を用いるが、前記主燃料及び前記副燃料は同一の種であってもよい。
【００２０】
また、請求項１２に対応するガスエンジン装置は、上記ガスエンジン用燃料噴射装置を搭載したガスエンジン装置である。特に、前記ガスエンジンは、希薄燃焼を行うリーンバーンガスエンジンであることが好適である。
【発明の効果】
【００２１】
本発明のガスエンジン用燃料噴射装置によれば、ガスエンジンの気筒内に燃料ガスと空気との予混合気を導入し、前記気筒内に液体燃料を導入して着火火炎を形成して前記予混合気を燃焼させると共に、前記燃料ガスを供給せずに前記液体燃料のみの燃焼も可能であるガスエンジン用燃料噴射装置であって、機械的又は電気的に制御され、前記液体燃料を主燃料として供給する主燃料供給手段と、電気的に制御され、前記液体燃料を副燃料として供給する副燃料供給手段と、を備え、前記副燃料供給手段から前記主燃料供給手段を経て前記気筒内に前記副燃料を供給し前記着火火炎を形成することにより、液体燃料を前記主燃料として用いないガス運転モードにおいて、前記主燃料供給手段を経て前記副燃料が供給されることにより前記主燃料を噴射する主燃料供給手段の固着や閉塞を抑制することができる。
【００２２】
また、本発明のガスエンジン用燃料噴射装置によれば、前記主燃料供給手段は、前記主燃料を前記気筒内に噴射する主燃料噴射弁を備え、前記主燃料噴射弁から前記副燃料を噴射することによって、燃料噴射手段をコンパクトに形成することができ、主燃料を噴射する主燃料噴射弁の固着や閉塞を抑制することができる。
【００２３】
また、本発明のガスエンジン用燃料噴射装置によれば、前記予混合気より高い圧力で前記副燃料を前記気筒内に供給することによって、燃料ガスによるガス運転モードにおいて着火火炎の形成を安定的に行うことができる。
【００２４】
また、本発明のガスエンジン用燃料噴射装置によれば、前記予混合気の燃焼圧力の変動幅に応じて前記副燃料の噴射量又は噴射のタイミングを変更することによって、エンジン内の圧力変動を低減することができ、不安定な燃焼やノッキングの発生を効果的に抑制することができる。例えば、エンジンの複数の気筒毎に個別に、不安定な燃焼やノッキングの発生を低減できる。
【００２５】
また、本発明のガスエンジン用燃料噴射装置によれば、前記副燃料の噴射量は、カロリーベースで前記燃料ガスの量の０．５％以上５．０％以下とすることで、副燃料の着火が安定になると共に、窒素酸化物（ＮＯｘ）を低減することができる。
【００２６】
また、本発明のガスエンジン用燃料噴射装置によれば、前記予混合気の燃焼中においてさらに前記副燃料を噴射することによって、予混合気の異常燃焼の発生を抑制することができる。
【００２７】
また、本発明のガスエンジン用燃料噴射装置によれば、前記燃料ガスは、天然ガス又はプロパン若しくはブタンを主成分とするガスの少なくとも１つを含むことによって、これらのガスを利用するデュアルフューエルガスエンジンにおいて副燃料の噴射の効果が顕著となる。
【００２８】
また、本発明のガスエンジン用燃料噴射装置によれば、前記予混合気の燃焼圧力の変動幅が第１の閾値を超えた場合に、前記ガスエンジンに掛かる負荷を下げる制御信号を出力することによって、燃焼圧力の変動幅を所定の閾値（第１の閾値）以下に維持することができ、エンジンの不安定な燃焼を抑えた安定的な運転が可能となり、ノッキングの発生等を抑制することができる。また、本発明のガスエンジン用燃料噴射装置によれば、前記予混合気の燃焼圧力の変動幅が第２の閾値を超えた場合に、前記主燃料供給手段からの主燃料の供給と前記副燃料供給手段からの副燃料の供給に切り替え、液体燃料のみを燃焼させることによって、燃焼圧力の変動幅を所定の閾値（第２の閾値）以下に維持することができ、エンジンの不安定な燃焼を抑えた安定的な運転が可能となり、ノッキングの発生等を抑制することができる。
【００２９】
また、本発明のガスエンジン用燃料噴射装置によれば、前記主燃料及び前記副燃料は同一の燃料とすることによって、主燃料系及び副燃料系の燃料供給手段の少なくとも一部を共通化することができ、装置を簡素化することができる。
【００３０】
また本発明のガスエンジン装置によれば、希薄燃焼を行うリーンバーンガスエンジンに適用することによって、リーンバーンガスエンジンで生じ易い異常燃焼を抑制しつつ、主燃料を噴射する主燃料供給手段の固着や閉塞を抑制することができる。
【００３１】
なお、本明細書に記載の作用・効果は、出願時において想定されるものであり、これら以外の作用・効果を奏するものであっても本発明の適用範囲内であり、これらの作用・効果を奏しないものであっても本発明の適用範囲内である。
【図面の簡単な説明】
【００３２】
【図１】本発明の実施の形態におけるデュアルフューエルガスエンジンの構成を示す図である。
【図２】本発明の実施の形態におけるデュアルフューエルガスエンジンの別例の構成を示す図である。
【図３】本発明の実施の形態におけるデュアルフューエルガスエンジンの別例の構成を示す図である。
【図４】本発明の実施の形態におけるデュアルフューエルガスエンジンの制御系を示す図である。
【図５】本発明の実施の形態におけるガス運転モードを示す図である。
【図６】本発明の実施の形態における液体運転モードを示す図である。
【図７】本発明の実施の形態におけるパイロット燃料コントローラの制御を示す図である。
【図８】本発明の実施の形態におけるクランク角度に対するシリンダの最大筒内圧値Ｐｍａｘの変化を示す図である。
【図９】本発明の実施の形態におけるガス運転モードにおける副燃料の噴射量に対する最大筒内圧値Ｐｍａｘの変動幅ＣＯＶの変化を示す図である。
【図１０】本発明の実施の形態におけるガス運転モードにおける副燃料の噴射タイミングに対する最大筒内圧値Ｐｍａｘの変動幅ＣＯＶの変化を示す図である。
【図１１】本発明の実施の形態における副燃料の噴射タイミングによるシリンダの最大筒内圧値Ｐｍａｘの変化を示す図である。
【図１２】本発明の実施の形態における副燃料の噴射量によるシリンダの最大筒内圧値Ｐｍａｘの変化を示す図である。
【図１３】本発明の実施の形態におけるガス運転モードにおける副燃料の噴射量に対する窒素酸化物（ＮＯｘ）の変化を示す図である。
【図１４】本発明の実施の形態におけるガス運転モードにおける副燃料の噴射タイミングに対する窒素酸化物（ＮＯｘ）の変化を示す図である。
【図１５】本発明の実施の形態におけるガス運転モードにおける副燃料の噴射量に対する全炭化水素（ＴＨＣ）の変化を示す図である。
【図１６】本発明の実施の形態におけるガス運転モードにおける副燃料の噴射タイミングに対する全炭化水素（ＴＨＣ）の変化を示す図である。
【図１７】本発明の実施の形態におけるガス運転モードにおける副燃料の噴射量に対する熱効率の変化を示す図である。
【図１８】本発明の実施の形態におけるガス運転モードにおける副燃料の噴射タイミングに対する熱効率の変化を示す図である。
【図１９】従来のデュアルフューエルガスエンジンの構成を示す図である。
【発明を実施するための形態】
【００３３】
本発明の実施の形態におけるデュアルフューエルガスエンジン１００は、図１に示すように、シリンダ３０、ピストン３２、吸気弁３４ａ、排気弁３４ｂ、燃料噴射手段３６、燃料タンク３８、低圧ポンプ４０、高圧ポンプ４２、コモンレール４４、機械駆動式高圧ポンプ４６及び逆止弁４８を含んで構成される。
【００３４】
デュアルフューエルガスエンジン１００は、内部にピストン３２を収納したシリンダ３０を備える。ピストン３２は、シリンダ３０内を円筒内周面に沿って摺動しつつ往復運動可能に設けられる。ピストン３２の往復運動を回転運動等に変換することによって動力が得られる。なお、シリンダ３０等は複数設けてもよい。
【００３５】
シリンダ３０には、吸気ポートに吸気弁３４ａ及び排気ポートに排気弁３４ｂが設けられる。吸気弁３４ａは、吸気ポートから供給される燃料ガスと空気との予混合気をシリンダ３０内壁とピストン３２の頭頂面とで形成される燃焼室３０ａ内に導入する際に用いられる。ガス運転モードでは、燃料ガスは、燃料ガス供給部６２からガス燃料弁６４を介して吸気経路６６に供給され、過給機６０から吸気経路６６を介して吸気ポートに供給される圧縮空気と予混合されて、吸気弁３４ａの開弁時においてシリンダ３０とピストン３２とによって形成される燃焼室３０ａ内に予混合気として導入される。排気弁３４ｂは、燃焼室３０ａ内で燃焼した燃料の排ガスを排気経路６８を介してシリンダ３０の外部へ排出する際に用いられる。
【００３６】
例えば、ピストン３２に連動して駆動されるクランク軸を設け、ギア、チェーンなどの伝達装置を介してクランク軸の回転角度（クランク角度）に応じて吸気弁３４ａ及び排気弁３４ｂが開閉されるようにすればよい。
【００３７】
燃料ガスは、例えば、天然ガス又はプロパン若しくはブタンを主成分とするガスを適用することができる。燃料ガスは、圧縮空気と予混合されて用いられる。本実施の形態におけるデュアルフューエルガスエンジンの構成及び制御は、特に燃焼が不安定となり易いリーンバーンガスエンジンにおいて有効である。
【００３８】
また、デュアルフューエルガスエンジン１００には、液体燃料を噴射する燃料噴射手段３６が併せて設けられる。燃料噴射手段３６は、主弁３６ａと副弁３６ｂを含む。主弁３６ａの位置は、噴射される燃料の噴霧の拡がり方など、燃焼状況により適切に定められればよく、シリンダ３０の中央以外に部分に設けられてもよい。
【００３９】
主弁３６ａは、スピンドル３６ｃと、スピンドル３６ｃを収納する本体部３６ｄを備える。本体部３６ｄには、スピンドル３６ｃの周辺部に形成される燃料室３６ｅ及びシリンダ３０に通ずる噴射孔３６ｆが設けられる。スピンドル３６ｃは、本体部３６ｄ内において弾性体３６ｇによって噴射孔３６ｆに先端部が押し付けられるように付勢される。弾性体３６ｇは、例えばバネとすることができる。また、弾性体３６ｇの収納部には圧力調整路３６ｈが設けられており、スピンドル３６ｃが後退したときの圧力を逃がすようにされている。逃がした圧力（低圧の液体燃料）は、燃料タンク３８に戻してもよい。
【００４０】
主弁３６ａに対しては、燃料タンク３８から低圧ポンプ４０、機械駆動式高圧ポンプ４６及び逆止弁４８を介して液体燃料が供給される。この燃料供給系を主燃料供給手段とする。また、燃料タンク３８から低圧ポンプ４０、機械駆動式高圧ポンプ４６及び逆止弁４８を介して供給される燃料を主燃料として以下説明する。
【００４１】
機械駆動式高圧ポンプ４６は、カム４６ａによって駆動される機械駆動式のポンプであり、ピストン３２の昇降運動に伴って所定のクランク角度で主弁３６ａの燃料室３６ｅの内圧が上昇するように液体燃料を燃料室３６ｅ内へ導入する。このとき、機械駆動式高圧ポンプ４６と燃料室３６ｅとの間には逆止弁４８が設けられ、燃料室３６ｅ内に一旦導入された液体燃料が機械駆動式高圧ポンプ４６側へ逆流することを防止している。燃料室３６ｅの内圧がスピンドル３６ｃを噴射孔３６ｆ側へ押し付けている弾性体３６ｇの付勢力より高まると、スピンドル３６ｃが弾性体３６ｇ側へ移動させられ、スピンドル３６ｃによって塞がれていた噴射孔３６ｆが開かれる。これにより、主弁３６ａから燃焼室３０ａ内へ液体燃料が噴射される。
【００４２】
また、機械駆動式高圧ポンプ４６には、パンクチャー弁４６ｂが設けられており、ガス運転モードの際にはパンクチャー弁４６ｂが開放されて、機械駆動式高圧ポンプ４６内の液体燃料の圧力が高まらないようにされる。これにより、ガス運転モードの際には機械駆動式高圧ポンプ４６から燃料室３６ｅへの液体燃料の供給が停止される。
【００４３】
また、燃料噴射手段３６は、主弁３６ａに加えて副弁３６ｂを備える。本実施の形態では、主弁３６ａの燃料室３６ｅ内に副弁３６ｂから燃料が噴射されるように副弁３６ｂが設けられる。副弁３６ｂは、電気的に制御される電気制御式弁とすることが好適である。
【００４４】
電気制御式弁は、後述するパイロット燃料コントローラから制御信号を受けて、電磁弁を備えた噴射ノズルから制御信号で示される噴射量の燃料を噴射する。副弁３６ｂとして電気的に制御できる電気制御式弁を採用することにより、自動車用のコモンレールシステムの導入が容易となる。また、電気制御式弁とすることで、燃料噴射タイミングや、燃料噴射期間（噴射量）、燃料噴射パターン等が電気信号で制御可能となり、制御の自由度が拡大する。また、船舶においては、波の影響により、波の周期に関連した負荷変動を生じる場合があるが、制御の自由度が高い電気制御式を採用することで、これに好適に対応できる。
【００４５】
副弁３６ｂに対しては、燃料タンク３８から低圧ポンプ４０、高圧ポンプ４２及びコモンレール４４を介して液体燃料が供給される。この燃料供給系を副燃料供給手段とする。また、燃料タンク３８から低圧ポンプ４０、高圧ポンプ４２及びコモンレール４４を介して供給される燃料を副燃料（パイロット燃料）とする。低圧ポンプ４０は、燃料タンク３８から燃料を加圧して高圧ポンプ４２へ送る。高圧ポンプ４２は、低圧ポンプ４０で加圧された燃料をさらに高い圧力まで加圧してコモンレール４４へ送る。高圧ポンプ４２の加圧能力は、機械駆動式高圧ポンプ４６の加圧能力よりも高いことが好ましい。コモンレール４４は、高圧ポンプ４２において加圧された燃料を蓄える蓄圧部となる。コモンレール４４内に蓄えられた加圧燃料は、燃料供給管を介して副弁３６ｂに送出される。副弁３６ｂは、パイロット燃料コントローラからの制御に応じて、燃料供給管から送られてきた燃料を主弁３６ａの燃料室３６ｅ内へ噴射する。この副弁３６ｂから燃料室３６ｅへの副燃料の噴射により、燃料室３６ｅの内圧が高まり、主弁３６ａのスピンドル３６ｃが弾性体３６ｇ側へ移動させられ、スピンドル３６ｃによって塞がれていた噴射孔３６ｆが開かれる。これにより、主弁３６ａを介して燃焼室３０ａ内へ液体燃料が噴射される。このとき、液体燃料は燃料ガスの予混合気より高い圧力で噴射される。
【００４６】
このように、本実施の形態では、液体燃料の供給系において、副燃料供給手段に含まれる副弁３６ｂから供給される副燃料は主燃料供給手段に含まれる主弁３６ａを介して燃焼室３０ａ内に導入される。すなわち、主燃料供給手段と副燃料供給手段との合流部より下流においては、主及び副燃料の供給系の構成要素（例えば、主弁３６ａ）が共有されている。
【００４７】
また、副燃料系には安全弁（図示しない）を設けてもよい。安全弁は、例えば、コモンレール４４に設けられ、コモンレール４４内の液体燃料の内圧が一定以上になると、スプリングの作用等により燃料を燃料タンク３８へ戻して内圧が上がり過ぎることを防ぐ。
【００４８】
コモンレール４４を含む副燃料系は、自動車用のシステムを転用することができる。自動車用の需要は、船舶用のそれよりも多く、量産効果により副燃料系導入のコストを抑制することができる。また、副燃料系に軽油を用いるのであれば、自動車用のシステムを導入するための改造が少なくなり、更に導入コストの抑制が期待できる。また、自動車用のシステムが、船舶用としては容量が不足する場合には、システムを複数備え、１気筒に複数のコモンレールシステムから燃料を噴射するようにできる。また、燃料噴射量を増加するために、コモンレール４４の容積を増加して対応してもよい。
【００４９】
主燃料の加圧は、燃料噴射のたびにクランク角度に応じてそれぞれ独立して行われるのに対し、副燃料は予め加圧され、加圧された状態でコモンレール４４に蓄えられ、燃料噴射のタイミングで予め加圧されていた燃料が供給される。主燃料の噴射の初期においては、圧力が低く、噴射される燃料の粒子が比較的大きい。一方、副燃料は予め加圧されて噴射されるので、噴射期間の初期から高い圧力で噴射することが可能であり、燃料の粒子はより微細となる。これにより、着火性を高めることができ、燃焼室３０ａ内での燃料の拡散性も高まる。また、コモンレール４４内の圧力を細かく調整することができる。例えば、高圧ポンプ４２に電気式のポンプを採用した場合は、ポンプを駆動するモータの回転速度を変更して、コモンレール４４内の圧力を調整することができる。また、高圧ポンプ４２として機械式のポンプを採用した場合には、コモンレール４４から燃料タンク３８に副燃料を戻すリターン経路に調圧弁を設け、この調圧弁が開放する圧力を変更して、コモンレール内圧力を調整してもよい。このようにして副燃料の着火性を主燃料より高め、排ガスの性状及び燃費等の選択・調整を行うことができる。特に、主燃料及び副燃料を廃食油、バイオ燃料、重油、軽油又はこれらの混合燃料としたときに有効である。
【００５０】
燃料噴射手段３６から燃焼室３０ａ内へ噴射された液体燃料は、細かな粒子（液滴）となってシリンダ内を拡がり、ピストン３２による圧縮でシリンダ３０内の温度が上昇すると自己着火して燃焼する。
【００５１】
なお、液体燃料は、例えば、セタン価が４５以下又はＣＣＡＩが８１０以上の燃料とする。例えば、廃食油、バイオ燃料、重油、軽油又はこれらの混合燃料のいずれかとする。本発明は、このように複数の燃料を用いる内燃機関において、排ガスの一酸化炭素、スモーク及び窒素酸化物の濃度を低減しつつ、内燃機関の燃費を向上させるために好適である。特に、着火性の悪い燃料を主燃料として用いる場合等において、排ガスの一酸化炭素、スモーク及び窒素酸化物の濃度を低減しつつ、内燃機関の燃費を向上させるために好適である。
【００５２】
図２は、本実施の形態におけるデュアルフューエルガスエンジンの別例の構成を示す。本構成のデュアルフューエルガスエンジン１０２は、燃料タンクが主燃料タンク３８ａ及び低圧ポンプ４０ａ並びに副燃料タンク３８ｂ及び低圧ポンプ４０ｂに分けられている点を除いてデュアルフューエルガスエンジン１００と同様の構成を有する。
【００５３】
このような構成では、主燃料と副燃料とを異なる燃料種とすることができる。例えば、同種の燃料を副燃料系により噴射しても、十分な着火性を得られない場合に、主、副燃料に異種の燃料を使用することもできる。この場合、副燃料に着火性の良い燃料を使用し、副燃料を火種として、着火性の悪い燃料を燃焼させるようにすることができる。ディーゼル機関における着火性は、セタン価又はＣＣＡＩ（Ｃａｌｃｕｒａｔｅｄ  Ｃａｒｂｏｎ  Ａｒｏｍａｔｉｃｉｔｙ  Ｉｎｄｅｘ）で評価され、この場合は、セタン価の高い燃料又はＣＣＡＩが低い燃料を副燃料として使用し、セタン価のより低い燃料又はＣＣＡＩのより高い燃料を主燃料として使用する。主燃料に着火性の悪い燃料を使用する場合、副燃料として軽油、バイオディーゼル油、ＧＴＬ（Ｇａｓ  Ｔｏ  Ｌｉｑｕｉｄ）、ＤＭＥ（ジメチルエーテル）を使用することが好適である。主燃料として重油を使用した場合、相対的に着火性のよい菜種油等を用いてもよい。セタン価は、留出油の着火性を示す指数であり、この値が大きい燃料ほど着火性が良い。ＣＣＡＩは、残渣油の着火性を示す指数であり、この値が小さい燃料ほど着火性が良い。例えば、主燃料及び副燃料は、セタン価が４５以下又はＣＣＡＩが８１０以上の着火性の悪い燃料としても、副燃料の噴射により着火性や燃焼性が改善され、良好に燃焼させることができる。この場合、主燃料と副燃料のセタン価又はＣＣＡＩの価の関係は、主燃料の方が副燃料よりも低い場合、高い場合、同じ場合、全ての場合をとり得る。また、主燃料のセタン価が４５以下又はＣＣＡＩが８１０以上の燃料として、副燃料をセタン価が４５以上又はＣＣＡＩが８１０以下の燃料とすると着火性はより良くなる。セタン価の値としては、例えば廃食油３８、バイオ燃料の１種である菜種油３４、Ａ重油４３、軽油５８、ＬＣＯ２８等の報告がある。また、ＣＣＡＩの値としては、例えば廃食油８２２、菜種油８２０、Ａ重油８３６、Ｃ重油８４３、軽油７９９、ＬＣＯ８９８等の報告がある。
【００５４】
図３は、主弁３６ａもコモンレールを用いた電磁弁インジェクタ方式とした構成を示す。この構成は、圧力調整室３６ｉ、逃し弁３６ｊ、パンクチャー弁３６ｋ、高圧ポンプ５０、コモンレール５２、副弁用増圧ポンプ５４、コモンレール５６を含んで構成される。
【００５５】
燃料タンク３８から高圧ポンプ５０によって圧力を高められた液体燃料がコモンレール５２に蓄えられる。コモンレール５２からは逆止弁４８を介して燃料室３６ｅに液体燃料が導入されると共に、圧力調整室３６ｉにも液体燃料が導入される。このような状態において、パンクチャー弁３６ｋを開放することによって圧力調整室３６ｉ内の圧力が低下し、燃料室３６ｅ内の圧力によってスピンドル３６ｃに後退する力が加わり噴射孔３６ｆが開かれる。これにより、主弁３６ａから燃焼室３０ａ内へ液体燃料が噴射される。このとき、スピンドル３６ｃはフルストロークで後退し、液体燃料の噴射量を噴射孔３６ｆの開時間によって調整することはできない。また、圧力調整室３６ｉには逃し弁３６ｊが設けられており、圧力調整室３６ｉの圧力が異常に高くなった場合に液体燃料を放出する安全弁として機能する。
【００５６】
また、副弁３６ｂには、コモンレール５２に蓄えられている液体燃料が副弁用増圧ポンプ５４によってさらに加圧され、コモンレール５６を介して供給される。このとき、コモンレール５６内の液体燃料の圧力をコモンレール５２内の液体燃料の圧力より高くする。例えば、コモンレール５２内の圧力を１０００気圧、コモンレール５６内の圧力を１５００気圧とする。これによって、副弁３６ｂから燃料室３６ｅ内に液体燃料を噴射すると、コモンレール５２とコモンレール５６との圧力差によって燃料室３６ｅ内の圧力が圧力調整室３６ｉ内の圧力より高くなり、スピンドル３６ｃを後退させる力が発生する。これにより、スピンドル３６ｃが弾性体３６ｇの弾性力と釣り合う位置まで後退し、噴射孔３６ｆが開かれ、主弁３６ａから燃焼室３０ａ内へ液体燃料が噴射される。このとき、パンクチャー弁３６ｋは常時閉状態であり、スピンドル３６ｃに掛かる圧力と弾性体３６ｇの弾性力との関係で噴射孔３６ｆの開時間を調整することができる。したがって、燃焼室３０ａへの微少な副燃料の噴射量及び噴射のタイミングの調整が可能である。
【００５７】
なお、図３の構成においても、主燃料と副燃料の供給系を別々としてもよい。これにより、例えば、同種の燃料を副燃料系により噴射しても、十分な着火性を得られない場合に、主、副燃料に異種の燃料を使用することができる。
【００５８】
図４は、デュアルフューエルガスエンジン１００の制御系統図を示す。本実施の形態のデュアルフューエルガスエンジン１００では、主コントローラ３００及びパイロット燃料コントローラ３０２によってガス燃料弁６４及び燃料噴射手段３６等を制御する。なお、図１、図２、図３の構成において副弁３６ｂは、燃料室３６ｅに臨んだ構造としているが、逆止弁４８と燃料室３６ｅとの間の主燃料の経路に臨ませてもよい。
【００５９】
主コントローラ３００は、外部から負荷の情報の入力を受け、パイロット燃料コントローラ３０２及びガス燃料弁６４の制御を行う。例えば、主コントローラ３００は、負荷が所定値より大きい高負荷時にはデュアルフューエルガスエンジン１００（１０２，２００）をガス運転モードとしてガスエンジンとして運転する（図５）。この場合、ピストン３２の動きに連動したクランク角度に応じて、ガス燃料弁６４と吸気弁３４ａと排気弁３４ｂとが開閉制御され、燃焼室３０ａ内に予混合気を導入して燃料ガスを燃焼させる。パイロット燃料コントローラ３０２は、副弁３６ｂを制御して、副燃料を燃料ガスの着火の補助のためのパイロット燃料として燃焼室３０ａ内に供給する。パイロット燃料コントローラ３０２は、図７に示すように、シリンダ圧力（燃焼圧力）、ノッキング、排ガス中の窒素酸化物（ＮＯｘ）、及び全炭化水素（ＴＨＣ）等並びに熱効率に応じて副燃料を燃焼室３０ａ内に噴射する。すなわち、パイロット燃料コントローラ３０２は、これらのパラメータに応じての噴射量及び／又は噴射のタイミングを制御する。
【００６０】
一方、主コントローラ３００は、負荷が所定値以下であり、微量の燃料ガスでの着火が困難な低負荷時には、デュアルフューエルガスエンジン１００（１０２，２００）を液体運転モードとして液体燃料を用いたディーゼルエンジンとして運転するように自動的に切替える（図６）。このとき、主コントローラ３００は、ガス燃料弁６４は作動させない。
【００６１】
本実施の形態におけるガスエンジン装置では、ガス運転モードにおいても主弁３６ａを通じて副燃料（パイロット燃料）を噴射する。したがって、主弁３６ａが使用されることがない状態で高温に曝されることがなくなり、主弁３６ａが固着したり、噴射孔が閉塞されたりすることを防ぐことができる。
【００６２】
次に、ガス運転モードにおけるパイロット燃料コントローラ３０２による燃料噴射手段３６の副燃料噴射の制御について説明する。
【００６３】
まず、シリンダ３０の内圧（燃焼圧力）に応じた副燃料の噴射量及び／又は噴射のタイミングの制御について説明する。パイロット燃料コントローラ３０２は、シリンダ３０に設けられた圧力センサ（図示しない）によってシリンダ３０の内圧の測定結果を取得する。
【００６４】
圧力センサは、シリンダ３０のシリンダヘッドに設けることができる。圧力センサは、より簡易な方法として、後付け、または外付けのセンサとしてもよい。例えば、圧力センサは、燃焼室内の燃焼圧がシリンダヘッドボルトに作用する力に基づくセンサとしてもよい。より具体的には、シリンダ３０のシリンダヘッドをエンジンフレームに締結するシリンダヘッドボルトに圧力センサを設けてもよい。シリンダヘッドボルトのボルトのナットとシリンダヘッドの間に、圧力センサであるロードワッシャを配置する。ロードワッシャには、シリンダヘッドの締め付け時に加えられる軸力と、気筒内圧を受けて発生する軸力が作用する。このロードワッシャに作用する力は、気筒内圧と良好な相関を有することが分かっており、気筒内圧を直接測定するのではなく、気筒の外部に設けたロードワッシャにより気筒内圧を測定することが可能である。また、圧力センサとしての歪みゲージを用いてもよい。圧力センサとして用いる歪みゲージは、シリンダヘッドボルトの軸部に装着することが好適である。歪みゲージは、エンジンフレームと、シリンダヘッドの間の隙間に対応して装着される。しかし、シリンダヘッドボルトの伸びを適切に検出できる位置であれば、どこに装着されても良く、例えばシリンダ３０のシリンダヘッド内のボルト軸部に装着されてもよい。シリンダヘッドボルトの伸びに作用する力は、気筒内圧と良好な相関を有していることが分かっており、気筒内圧を直接測定するのではなく、気筒の外部に設けた歪みゲージより気筒内圧を測定することが可能である。ロードワッシャ型、歪みゲージ型のいずれも、気筒の外部に装着可能であるため、副燃料系としてコモンレールシステムを後付けする場合や、故障時や寿命時の取り替えがボルトの脱着だけで簡単にできる。また、ボルトの緩みや締め付けトルクが不足した場合に、異常が検出可能となる。
【００６５】
さらに、圧力センサは、各気筒に設けることができ、また代表となる１つまたは複数の気筒に対応して設けることもできる。気筒配置がＶ型の機関であれば、左右のバンクにそれぞれ１つの圧力センサを設けることができる。気筒ごとに圧力センサを設けた場合、噴射条件の制御も気筒ごとに行うことができる。また、Ｖ型のバンクごとなど、いくつかの気筒ごとに圧力センサを設けた場合、バンクごと、その気筒群ごとに噴射制御を行うこともできる。
【００６６】
図８は、クランク角度に対するシリンダ３０の最大筒内圧値Ｐｍａｘの変化を示す。図８は、回転数８５１．３ｒｐｍ、負荷８４．６％、予混合気の吸気圧２４０ｋＰａ、吸気流量５４２．４ｍ3Ｎ／ｈ、空気過剰率１．９、副燃料の噴射タイミングをピストン３２の上死点のクランク角度（０°）より２５°前（１５５°ＡＢＤＣ＝−２５°ＡＴＤＣ）とした場合の２００サイクル分の最大筒内圧値Ｐｍａｘの測定結果を示す。
【００６７】
本実施の形態では、燃焼圧力の変動幅が小さくなるように副燃料の噴射量及び噴射タイミングを制御する。ここでは、最大筒内圧値Ｐｍａｘの変動幅ＣＯＶが小さくなるように副燃料の噴射量及び噴射タイミングを制御する。最大筒内圧値Ｐｍａｘの変動幅ＣＯＶとは、１サイクルにおけるシリンダ３０の最大筒内圧値Ｐｍａｘを複数のサイクルに亘って測定し、測定結果の最大筒内圧値Ｐｍａｘの最大値と最小値との差をいう。
【００６８】
例えば、最大筒内圧値Ｐｍａｘの変動幅ＣＯＶが小さくなるように副燃料の噴射量及び噴射タイミングをフィードバック制御する。すなわち、副燃料の噴射量及び／又は噴射タイミングを変更し、変更前と変更後の変動幅ＣＯＶを比較して、より小さい変動幅ＣＯＶとなる噴射量及び／又は噴射タイミングとなるように制御を行う。
【００６９】
図９及び図１０は、ガス運転モードにおける副燃料の噴射量及び噴射タイミングに対する最大筒内圧値Ｐｍａｘの変動幅ＣＯＶの変化を示す。ピストン３２の上死点前において副燃料の噴射タイミングを遅らせることによって変動幅ＣＯＶは低下する傾向を示す。また、副燃料の噴射量を増加させることによって変動幅ＣＯＶは低下する傾向を示す。したがって、最大筒内圧値Ｐｍａｘの変動幅ＣＯＶ、すなわち燃焼圧力が大きいほど副燃料の噴射量を増加又は噴射のタイミングを遅らせるとよい。
【００７０】
図１１は、図８と同じ条件において副燃料の噴射タイミングをピストン３２のクランク角度（０°）より１９°前（１６１°ＡＢＤＣ＝−１９°ＡＴＤＣ）とした場合の２００サイクル分の最大筒内圧値Ｐｍａｘの測定結果を示す。図８及び図１１を比較すると分かるように、測定の条件下においては副燃料の噴射タイミングを遅らせることによって最大筒内圧値Ｐｍａｘの変動幅ＣＯＶを小さくすることができた。
【００７１】
図１２は、副燃料の噴射量の変化に対するシリンダ３０の内圧の最大筒内圧値Ｐｍａｘの変動幅ＣＯＶを示す。測定の条件下においては、副燃料の噴射量を増加させるにつれて最大筒内圧値Ｐｍａｘの変動幅ＣＯＶが小さくすることができた。
【００７２】
燃焼圧力の変動幅（最大筒内圧値Ｐｍａｘの変動幅ＣＯＶ）が大きい場合、エンジンにノッキングが生じ易い。したがって、燃焼圧力の変動幅（最大筒内圧値Ｐｍａｘの変動幅ＣＯＶ）を小さくするように副燃料の噴射量及び／又は噴射タイミングを制御することによって不安定な燃焼を抑え、ノッキングの発生も抑制することができる。
【００７３】
なお、燃焼圧力の変動幅に代えて、ノッキングセンサを設け、ノッキングの計測値に応じて副燃料の噴射量及び／又は噴射タイミングを制御してもよい。すなわち、ノッキングの発生頻度が低下するように副燃料の噴射量及び／又は噴射タイミングをフィードバック制御してもよい。
【００７４】
一方、デュアルフューエルガスエンジン１００（１０２，２００）の副燃料の噴射量及び／又は噴射のタイミングの変化は排気ガスの性状や熱効率にも影響を及ぼす。
【００７５】
排気ガスの性状は排ガスセンサによって測定することができる。排ガスセンサ（図示しない）は、エンジンの排気ガス配管等に設けられ、排ガス中の窒素酸化物（ＮＯｘ）、一酸化炭素（ＣＯ）、スモーク、粒子状物質（ＰＭ）、全炭化水素(ＴＨＣ)等を検出する。これらは個別に設けることも組み合わせて設けることもできる。排気ガスセンサは、排気管以外に各シリンダに設けることができ、また代表となる１つまたは複数のシリンダに対応して設けることもできる。排気ガスセンサからの出力信号はパイロット燃料コントローラ３０２へ送られる。
【００７６】
熱効率は、燃料の供給量に対するエンジンの出力値の割合（エンジンの出力値／燃料の噴射量）として算出される。例えば、出力センサ（図示しない）によりエンジンの出力値（パワー値）及び流量センサ（図示しない）により燃料の供給量（燃料ガス及び副燃料の供給量）が測定され、パイロット燃料コントローラ３０２においてそれらの測定値から熱効率を算出することができる。
【００７７】
図１３及び図１４は、ガス運転モードにおける副燃料の噴射量及び噴射タイミングに対する排ガス中の窒素酸化物（ＮＯｘ）の濃度の変化を示す。最大筒内圧値Ｐｍａｘの変動幅ＣＯＶと同様に、ピストン３２の上死点前において副燃料の噴射タイミングを遅らせることによって窒素酸化物（ＮＯｘ）は低下する傾向を示す。一方、副燃料の噴射量を増加させることによって窒素酸化物（ＮＯｘ）は増加し、最大筒内圧値Ｐｍａｘの変動幅ＣＯＶとは逆の傾向を示す。
【００７８】
図１５及び図１６は、ガス運転モードにおける副燃料の噴射量及び噴射タイミングに対する排ガス中の全炭化水素（ＴＨＣ）の濃度の変化を示す。ピストン３２の上死点前において副燃料の噴射タイミングを遅らせることによって全炭化水素（ＴＨＣ）は増加する傾向を示す。また、副燃料の噴射量を増加させることによって全炭化水素（ＴＨＣ）は増加する傾向を示す。これらは、最大筒内圧値Ｐｍａｘの変動幅ＣＯＶとは逆の傾向である。
【００７９】
図１７及び図１８は、ガス運転モードにおける副燃料の噴射量及び噴射タイミングに対する熱効率の変化を示す。ピストン３２の上死点前において副燃料の噴射タイミングを遅らせることによって熱効率は減少する傾向を示す。また、副燃料の噴射量を増加させることによって熱効率は減少する傾向を示す。これらは、最大筒内圧値Ｐｍａｘの変動幅ＣＯＶと同じ傾向である。
【００８０】
最大筒内圧値Ｐｍａｘの変動幅ＣＯＶを低下させるために副燃料の噴射タイミングを遅らせると、窒素酸化物（ＮＯｘ）は低下するが、全炭化水素（ＴＨＣ）は増加し、熱効率は低下する。したがって、全炭化水素（ＴＨＣ）の増加及び熱効率の低下と、最大筒内圧値Ｐｍａｘの変動幅ＣＯＶの低下と、の兼ね合いによって副燃料の噴射タイミングを決定する必要がある。
【００８１】
また、最大筒内圧値Ｐｍａｘの変動幅ＣＯＶを低下させるために副燃料の噴射量を増やすと、窒素酸化物（ＮＯｘ）及び全炭化水素（ＴＨＣ）は増加し、熱効率は低下する。したがって、窒素酸化物（ＮＯｘ）及び全炭化水素（ＴＨＣ）の増加並びに熱効率の低下と、最大筒内圧値Ｐｍａｘの変動幅ＣＯＶの低下と、の兼ね合いによって副燃料の噴射タイミングを決定する必要がある。
【００８２】
すなわち、窒素酸化物（ＮＯｘ）及び全炭化水素（ＴＨＣ）が基準値以下となり、熱効率が基準値以上となる条件下において、副燃料の噴射量及び／又は噴射タイミングを調整することが好適である。
【００８３】
例えば、副燃料の噴射量は、熱量において燃料ガスの量の０．５％以上５．０％以下とすることが好適である。すなわち、副燃料の噴射量は燃料ガス（予混合気）の着火が安定になる程度の量である燃料ガスの量の０．５％以上とする必要があるが、着火の安定性を高め、窒素酸化物（ＮＯｘ）を低減するためには燃料ガスの量の５．０％以下とすることが好ましい。この範囲内において副燃料の噴射量を制御するとよい。
【００８４】
さらに、燃焼圧力の変動幅（最大筒内圧値Ｐｍａｘの変動幅ＣＯＶ）に応じてエンジンの負荷を制限する制御を行ってもよい。例えば、パイロット燃料コントローラ３０２は、最大筒内圧値Ｐｍａｘの変動幅ＣＯＶが所定の閾値（第１の閾値）を超えた場合にエンジン負荷を低下させるための制御信号を出力するようにする。エンジンが船舶に搭載されている場合、制御信号に応じて、船速を低下させる制御を行ったり、可変ピッチプロペラのピッチを変える制御を行ったりすればよい。
【００８５】
また、燃焼圧力の変動幅（最大筒内圧値Ｐｍａｘの変動幅ＣＯＶ）に応じてガス運転モードから液体運転モードに切り替える制御を行ってもよい。例えば、パイロット燃料コントローラ３０２は、最大筒内圧値Ｐｍａｘの変動幅ＣＯＶが所定の閾値（第２の閾値）を超えた場合にガス運転モードから液体運転モードに切り替える制御信号を出力する。主コントローラ３００は、この制御信号を受けると、ガス運転モードから液体運転モードに切り替える。すなわちこの実施の形態では、液体運転モードは、デュアルフューエルガスエンジン１００（１０２、２００）の負荷が所定値以下である場合と、燃焼圧力の変動幅が所定の閾値（第２の閾値）を越えた場合に実施されるが、どちらか一方の実施であってもよい。
【００８６】
なお、第１の閾値と第２の閾値とは同じ値にしてもよいし、異なる値としてもよい。また、エンジン負荷の制御を行ったうえで、さらに燃焼圧力の変動幅（最大筒内圧値Ｐｍａｘの変動幅ＣＯＶ）が大きくなった場合にガス運転モードから液体運転モードに切り替える制御を組み合わせて行ってもよい。
【００８７】
このような制御により、燃焼圧力の変動幅（最大筒内圧値Ｐｍａｘの変動幅ＣＯＶ）を所定の閾値（第１の閾値又は第２の閾値）以下に維持することができ、エンジンの安定的な運転が可能となり、ノッキングの発生等を抑制することができる。
【００８８】
また、ガス運転モードにおいて、燃料ガスの予混合気の燃焼中に副燃料を噴射してもよい。すなわち、燃料ガスの噴射前のパイロット燃料としての副燃料の噴射に加えて、予混合気の燃焼中に副燃料を噴射してもよい。このような副燃料のアフター噴射によって、予混合気の異常燃焼を軽減することができる。
【産業上の利用可能性】
【００８９】
以上の実施形態において説明したガスエンジン用燃料噴射装置は、船舶のみならず、他の移動体、例えば鉄道車両、自動車等の内燃機関についても適用することができる。また、ディーゼル機関以外の間欠燃焼を行う機関（直噴式のオットー機関等）についても適用することができる。さらに、陸上に設置されるガス発電システム等においても本発明を適用することができる。
【符号の説明】
【００９０】
３０  シリンダ、３０ａ  燃焼室、３２  ピストン、３４ａ  吸気弁、３４ｂ  排気弁、３６  燃料噴射手段、３６ａ  主弁、３６ｂ  副弁、３６ｃ  スピンドル、３６ｄ  本体部、３６ｅ  燃料室、３６ｆ  噴射孔、３６ｇ  弾性体、３６ｈ  圧力調整路、３６ｉ  圧力調整室、３６ｊ  逃し弁、３６ｋ  パンクチャー弁、３８  燃料タンク、３８ａ  主燃料タンク、３８ｂ  副燃料タンク、４０  低圧ポンプ、４０ａ  低圧ポンプ、４０ｂ  低圧ポンプ、４２  高圧ポンプ、４４  コモンレール、４６  機械駆動式高圧ポンプ、４６ａ  カム、４６ｂ  パンクチャー弁、４８  逆止弁、５０  高圧ポンプ、５２  コモンレール、５４  副弁用増圧ポンプ、５６  コモンレール、６０  過給機、６２  燃料ガス供給部、６４  ガス燃料弁、６６  吸気経路、６８  排気経路、１００，１０２，２００  デュアルフューエルガスエンジン、３００  主コントローラ、３０２  パイロット燃料コントローラ。
【図１】
2014029131.tif 000003
【図２】
2014029131.tif 000004
【図３】
2014029131.tif 000005
【図４】
2014029131.tif 000006
【図５】
2014029131.tif 000007
【図６】
2014029131.tif 000008
【図７】
2014029131.tif 000009
【図１２】
2014029131.tif 000010
【図１９】
2014029131.tif 000011
【図８】
2014029131.tif 000012
【図９】
2014029131.tif 000013
【図１０】
2014029131.tif 000014
【図１１】
2014029131.tif 000015
【図１３】
2014029131.tif 000016
【図１４】
2014029131.tif 000017
【図１５】
2014029131.tif 000018
【図１６】
2014029131.tif 000019
【図１７】
2014029131.tif 000020
【図１８】
2014029131.tif 000021